(57)【要約】【課題】  訪問者が玄関子機を介して訪問対象の特定の居住者を呼び出して通話することができるインターホンシステムを提供する。【解決手段】  居室親機２がクラウドＣ上に配置されたサーバ３と通信する機能を有すると共に、サーバ３は居住者が携行する第１の携帯電話Ｍ１の番号に訪問予定者が携行する第２の携帯電話Ｍ２の番号を関連付けた携帯番号テーブル記憶部３１を有し、また玄関子機１及び第２の携帯電話Ｍ２の双方が近距離無線通信機能を備えており、第２の携帯電話Ｍ２が玄関子機１に翳されると第２の携帯電話Ｍ２の番号が読み取られてサーバ３に通知され、サーバ３が第２の携帯電話Ｍ２に関連付けられている第１の携帯電話Ｍ１の呼び出しを実施し、第１の携帯電話Ｍ１が応答操作されると第１の携帯電話Ｍ１と玄関子機１との間の通信路が形成される。【選択図】  図１
2019121961.tif 000002
【特許請求の範囲】
【請求項１】
訪問者が居住者を呼び出すための玄関子機と、前記玄関子機から呼出操作を受けて居住者が応答するための居室親機とを有するインターホンシステムであって、
前記玄関子機或いは居室親機は、クラウド上に配置されたサーバと通信する機能を有し、
前記サーバは、居住者が携行する第１の携帯電話の番号に訪問予定者が携行する第２の携帯電話の番号を関連付けた携帯番号テーブル記憶部を有する一方、
前記玄関子機及び前記第２の携帯電話の双方が近距離無線通信機能を備えており、
前記第２の携帯電話が前記玄関子機に翳されると、前記第２の携帯電話の番号が前記玄関子機に読み取られて前記サーバに通知され、
前記サーバは、前記第２の携帯電話の番号を受信したら、前記携帯番号テーブル記憶部の情報を基に前記第２の携帯電話に関連付けられている前記第１の携帯電話の呼び出しを実施し、前記呼び出しを受けた前記第１の携帯電話が応答操作されると、前記サーバを経由する前記第１の携帯電話と前記玄関子機との間の通信路を形成し、訪問者と特定の居住者との間で通話が可能となることを特徴とするインターホンシステム。
【請求項２】
前記玄関子機には訪問者を撮像するためのカメラが設けられており、
前記玄関子機或いは前記居室親機は、前記第１の携帯電話と前記玄関子機との間の通信路形成を受けて、前記カメラの撮像映像を前記第１の携帯電話に送信する映像送信部を有することを特徴とする請求項１記載のインターホンシステム。
【請求項３】
前記居室親機は、玄関ドアの電気錠を解錠操作する電気錠制御部を有し、
前記玄関子機と通信路が形成されている状態の前記第１の携帯電話から所定の解錠操作がなされると、前記サーバから前記居室親機に解錠信号が送信されて、前記電気錠が解錠されることを特徴とする請求項１又は２記載のインターホンシステム。
【請求項４】
前記第１の携帯電話は、前記玄関子機の操作による呼び出し先を前記居室親機から前記第１の携帯電話に変更する不在設定ボタンを有し、
前記不在設定ボタンのオン操作により、前記サーバから前記玄関子機或いは前記居室親機に不在モード移行信号が送信され、前記玄関子機の前記近距離無線通信機能が有効となることを特徴とする請求項１乃至３の何れかに記載のインターホンシステム。
【請求項５】
集合住宅のエントランスに設置されて訪問者が住戸を選択して居住者を呼び出すための集合玄関機と、前記集合玄関機から呼出操作を受けて居住者が応答するための住戸親機と、前記集合玄関機と前記住戸親機との間の通信を制御する制御機とを有する集合住宅インターホンシステムであって、
前記制御機はクラウド上に配置されたサーバと通信する機能を有すると共に、
前記サーバは、居住者が携行する第１の携帯電話の番号に訪問予定者が携行する第２の携帯電話の番号を関連付けた携帯番号テーブル記憶部を有する一方、
前記集合玄関機及び前記第２の携帯電話の双方が近距離無線通信機能を備えており、
前記第２の携帯電話が前記集合玄関機に翳されると、前記第２の携帯電話の番号が前記集合玄関機に読み取られて前記制御機を介して前記サーバに通知され、
前記サーバは、前記第２の携帯電話の番号を受信したら、前記携帯番号テーブル記憶部の情報を基に前記第２の携帯電話に関連付けられている前記第１の携帯電話の呼び出しを実施し、前記呼び出しを受けた前記第１の携帯電話が応答操作されると、前記サーバ及び前記制御機を経由する前記第１の携帯電話と前記集合玄関機との間の通信路を形成し、訪問者と特定の居住者との間で通話が可能となることを特徴とする集合住宅インターホンシステム。
【請求項６】
前記集合玄関機には訪問者を撮像するためのカメラが設けられており、
前記制御機は、前記第１の携帯電話と前記集合玄関機との間の通信路形成を受けて、前記カメラの撮像映像を前記第１の携帯電話に送信する映像送信部を有することを特徴とする請求項５記載の集合住宅インターホンシステム。
【請求項７】
前記制御機は、集合玄関ドアの電気錠を解錠操作する電気錠制御部を有し、
前記集合玄関機と通信路が形成されている状態の前記第１の携帯電話から所定の解錠操作がなされると、前記サーバから前記制御機に解錠信号が送信されて、前記電気錠が解錠されることを特徴とする請求項５又は６記載の集合住宅インターホンシステム。
【請求項８】
前記第１の携帯電話は、前記集合玄関機の操作による呼び出し先を、前記住戸親機から前記第１の携帯電話に変更する不在設定ボタンを有し、
前記不在設定ボタンのオン操作により、前記サーバから前記制御機に不在モード移行信号が送信され、前記集合玄関機の前記近距離無線通信機能が有効となることを特徴とする請求項５乃至７の何れかに記載の集合住宅インターホンシステム。
【発明の詳細な説明】
【技術分野】
【０００１】
本発明は、訪問者が居住者を呼び出して通話するためのインターホンシステムに関し、詳しくは複数人の居住者のうち特定の居住者を呼び出すことができるインターホンシステム及び集合住宅インターホンシステムに関する。
【背景技術】
【０００２】
従来より玄関に設置された玄関子機等からの呼び出しに対して、居住者が携行する携帯電話で応答することが可能なインターホンシステムがある（例えば、特許文献１参照）。
このようなインターホンシステムでは、居住者が留守の時に訪問者があっても、玄関子機からの呼出信号が室内に設置された居室親機等を介して外出している居住者の携帯電話に送信され、玄関子機と携帯電話との間で通話が可能となり、訪問者と居住者の双方にとって利便性のよいシステムとなっていた。
【先行技術文献】
【特許文献】
【０００３】
【特許文献１】特開２０１６−１７４２０９号公報
【発明の概要】
【発明が解決しようとする課題】
【０００４】
しかしながら、訪問先の住戸には通常複数の居住者がおり、訪問者にとって会いたい人物がその中の特定の居住者である場合は、せっかく携帯電話で外出先から応答していただいても、設定された呼出先が訪問者にとって会いたい人物では無い場合は、通話できても訪問の目的を達成できなかった。
【０００５】
そこで、本発明はこのような問題点に鑑み、訪問者が玄関子機等の玄関に設置された機器を介して訪問対象の特定の居住者を呼び出して通話することができるインターホンシステム及び集合住宅インターホンシステムを提供することを目的としている。
【課題を解決するための手段】
【０００６】
上記課題を解決する為に、請求項１の発明は、訪問者が居住者を呼び出すための玄関子機と、玄関子機から呼出操作を受けて居住者が応答するための居室親機とを有するインターホンシステムであって、玄関子機或いは居室親機は、クラウド上に配置されたサーバと通信する機能を有し、サーバは、居住者が携行する第１の携帯電話の番号に訪問予定者が携行する第２の携帯電話の番号を関連付けた携帯番号テーブル記憶部を有する一方、玄関子機及び第２の携帯電話の双方が近距離無線通信機能を備えており、第２の携帯電話が玄関子機に翳されると、第２の携帯電話の番号が玄関子機に読み取られてサーバに通知され、サーバは、第２の携帯電話の番号を受信したら、携帯番号テーブル記憶部の情報を基に第２の携帯電話に関連付けられている第１の携帯電話の呼び出しを実施し、呼び出しを受けた第１の携帯電話が応答操作されると、サーバを経由する第１の携帯電話と玄関子機との間の通信路を形成し、訪問者と特定の居住者との間で通話が可能となることを特徴とする。
この構成によれば、訪問者は玄関子機から居住者の中の特定の人物を直接呼び出しできるため、最初に不特定の応答者が対応する問題が発生しない。また、呼出対象の居住者は訪問者に携帯電話の番号等を教える必要がないため、セキュリティ上の問題も発生しない。
【０００７】
請求項２の発明は、請求項１に記載の構成において、玄関子機には訪問者を撮像するためのカメラが設けられており、玄関子機或いは居室親機は、第１の携帯電話と玄関子機との間の通信路形成を受けて、カメラの撮像映像を第１の携帯電話に送信する映像送信部を有することを特徴とする。
この構成によれば、居住者は訪問者と通話する際に訪問者の映像を見ながら通話でき、安心して通話できる。
【０００８】
請求項３の発明は、請求項１又は２に記載の構成において、居室親機は、玄関ドアの電気錠を解錠操作する電気錠制御部を有し、玄関子機と通信路が形成されている状態の第１の携帯電話から所定の解錠操作がなされると、サーバから居室親機に解錠信号が送信されて、電気錠が解錠されることを特徴とする。
この構成によれば、居住者は自身が携行する第１の携帯電話を操作して玄関ドアを解錠できるため、外出先から玄関ドアの解錠を行うことができ、例えば子供が帰宅した場合等便利である。
【０００９】
請求項４の発明は、請求項１乃至３の何れかに記載の構成しおいて、第１の携帯電話は、玄関子機の操作による呼び出し先を居室親機から第１の携帯電話に変更する不在設定ボタンを有し、不在設定ボタンのオン操作により、サーバから玄関子機或いは居室親機に不在モード移行信号が送信され、玄関子機の近距離無線通信機能が有効となることを特徴とする。
この構成によれば、不在設定し忘れて出かけても、外出先から不在設定して玄関子機からの呼出先を携帯電話に変更できるため、便利である。
【００１０】
請求項５の発明は、集合住宅のエントランスに設置されて訪問者が住戸を選択して居住者を呼び出すための集合玄関機と、集合玄関機から呼出操作を受けて居住者が応答するための住戸親機と、集合玄関機と住戸親機との間の通信を制御する制御機とを有する集合住宅インターホンシステムであって、制御機はクラウド上に配置されたサーバと通信する機能を有すると共に、サーバは、居住者が携行する第１の携帯電話の番号に訪問予定者が携行する第２の携帯電話の番号を関連付けた携帯番号テーブル記憶部を有する一方、集合玄関機及び第２の携帯電話の双方が近距離無線通信機能を備えており、第２の携帯電話が集合玄関機に翳されると、第２の携帯電話の番号が集合玄関機に読み取られて制御機を介してサーバに通知され、サーバは、第２の携帯電話の番号を受信したら、携帯番号テーブル記憶部の情報を基に第２の携帯電話に関連付けられている第１の携帯電話の呼び出しを実施し、呼び出しを受けた第１の携帯電話が応答操作されると、サーバ及び制御機を経由する第１の携帯電話と集合玄関機との間の通信路を形成し、訪問者と特定の居住者との間で通話が可能となることを特徴とする。
この構成によれば、訪問者は集合玄関機から居住者の中の特定の人物を直接呼び出しできるため、最初に不特定の応答者が対応する問題が発生しない。また、呼出対象の居住者は訪問者に携帯電話の番号等を教える必要がなくセキュリティを維持できる。
更に、制御機がサーバと通信するため、各居室親機等にサーバ通信部を設ける必要がない。
【００１１】
請求項６の発明は、請求項５に記載の構成において、集合玄関機には訪問者を撮像するためのカメラが設けられており、制御機は、第１の携帯電話と玄関子機との間の通信路形成を受けて、カメラの撮像映像を第１の携帯電話に送信する映像送信部を有することを特徴とする。
この構成によれば、居住者は訪問者と通話する際に訪問者の映像を見ながら通話でき、安心して通話できる。
【００１２】
請求項７の発明は、請求項５又は６に記載の構成において、制御機は、集合玄関ドアの電気錠を解錠操作する電気錠制御部を有し、集合玄関機と通信路が形成されている状態の第１の携帯電話から所定の解錠操作がなされると、サーバから制御機に解錠信号が送信されて、電気錠が解錠されることを特徴とする。
この構成によれば、居住者は自身が携行する第１の携帯電話を操作して集合玄関ドアを解錠できるため、外出先から集合玄関ドアを解錠することができ、例えば子供が帰宅した場合等便利である。
【００１３】
請求項８の発明は、請求項５乃至７の何れかに記載の構成において、第１の携帯電話は、集合玄関機の操作による呼び出し先を、住戸親機から第１の携帯電話に変更する不在設定ボタンを有し、不在設定ボタンのオン操作により、サーバから制御機に不在モード移行信号が送信され、集合玄関機の近距離無線通信機能が有効となることを特徴とする。
この構成によれば、不在設定し忘れて出かけても、外出先から不在設定して集合玄関機からの呼出先を携帯電話に変更できるため、便利である。
【発明の効果】
【００１４】
本発明によれば、訪問者は玄関子機或いは集合玄関機から居住者の中の特定の人物を直接呼び出しできる。よって、最初に不特定の応答者が対応する問題が発生しない。また、呼出対象の居住者は訪問者に携帯電話の番号等を教える必要がないため、セキュリティ上の問題も発生しない。
【図面の簡単な説明】
【００１５】
【図１】本発明に係るインターホンシステムの一例を示す構成図である。
【図２】玄関子機の機能ブロック図である。
【図３】居室親機の機能ブロック図である。
【図４】サーバの機能ブロック図である。
【図５】集合住宅インターホンシステムの一例を示す構成図である。
【図６】集合玄関機の機能ブロック図である。
【図７】住戸親機の機能ブロック図である。
【図８】制御機の機能ブロック図である。
【発明を実施するための形態】
【００１６】
以下、本発明を具体化した実施の形態を、図面を参照して詳細に説明する。図１は本発明に係るインターホンシステムの一例を示す構成図であり、戸建住宅に設置されるインターホンシステムを示している。図１において、１は訪問者が居住者を呼び出すために玄関に設置された玄関子機、２は居住者が訪問者の呼び出しに応答するために居室に設置された居室親機、３は後述する携帯電話とインターホン機器との間の通信を管理するサーバ、４は玄関ドアＤ１に設けられた電気錠、Ｍ１は居住者が携行する携帯電話（第１の携帯電話）、Ｍ２は訪問者が携行する携帯電話（第２の携帯電話）、Ｃは携帯電話通信網及びインターネット網を含むクラウドである。尚、Ｈは訪問者を示している。また、玄関子機１と居室親機２との組み合わせを便宜上「インターホン機器」として説明する。
【００１７】
玄関子機１と居室親機２とは伝送線Ｌ１で接続され、電気錠４は制御線Ｌ２で居室親機２に接続されている。また、サーバ３はクラウドＣ上に配置されて、居室親機２がこのサーバ３と通信を実施するよう構成されている。
【００１８】
図２は玄関子機１の機能ブロック図を示している。玄関子機１は図２に示すように、訪問者Ｈを撮像するためのカメラ１１、マイク１２ａ及びスピーカ１２ｂを備えた通話部１２、呼出ボタン１３、近距離通信部１４、玄関子機１を制御する子機ＣＰＵ１５、居室親機２と通信する子機通信ＩＦ１６等を備えている。近距離通信部１４は、例えばBluetooth（登録商標）、ＮＦＣ（登録商標）等である。
【００１９】
図３は居室親機２の機能ブロック図を示している。居室親機２は図３に示すように、玄関子機１のカメラ１１の撮像映像の表示に加えて各種情報を表示する表示部２１、各種設定操作を行う操作部２２、呼び出しを受けて応答するための通話ボタン２３、電気錠４を解錠操作する解錠ボタン２４、マイク２５ａ及びスピーカ２５ｂを備えた通話部２５、居室親機２を制御する親機ＣＰＵ２６、サーバ３と通信するための外部通信ＩＦ２７、玄関子機１と通信する親機通信ＩＦ２８、電気錠４を制御する電気錠制御部２９等を備えている。
操作部２２には不在設定部があり、不在設定されるとインターホン機器が不在モードに移行する。不在モードに移行すると、玄関子機１の近距離通信部１４がオン状態となり、この近距離通信機能を利用して玄関子機１から居住者が携行する第1の携帯電話Ｍ１の呼び出しが可能となる。
【００２０】
図４はサーバ３の機能ブロック図を示している。サーバ３は図４に示すように、携帯電話同士を関連付けした情報を記憶する携帯番号テーブル記憶部３１、インターホン機器と携帯電話の間の通信を制御するサーバＣＰＵ３２、クラウドＣを介して居室親機２等と通信するサーバ通信ＩＦ３３等を備えている。
携帯番号テーブル記憶部３１には、居住者が携行する第１の携帯電話Ｍ１の電話番号に訪問者Ｈが携行する第２の携帯電話Ｍ２の電話番号を関連付けた情報が居室親機２のＩＤ情報と共に登録されており、第２の携帯電話Ｍ２の番号情報を居室親機２から受信したら、関連付けられている第１の携帯電話Ｍ１の呼出制御を実施する。そして、応答操作を受けたら、サーバ３を介した居室親機２と第１の携帯電話Ｍ１の間での音声や映像の送受を実施するための通信路の形成制御を実施する。
【００２１】
尚、サーバ３への登録は電話番号で実施されるが、サーバ３による通信路形成制御は、サーバ３が電話番号管理サーバ（図示せず）に問い合わせて入手したＩＰアドレスにより実施される。また、携帯番号テーブル記憶部３１には、予め第１の携帯電話Ｍ１の電話番号に居室親機２のＩＤが紐づけされて登録されており、第２の携帯電話Ｍ２の電話番号の登録は、居住者が第１の携帯電話Ｍ１等を操作して行われる。また、サーバ３の携帯番号テーブル記憶部３１には、複数の住戸の情報が一括管理されている。
【００２２】
第１の携帯電話Ｍ１及び第２の携帯電話Ｍ２は、例えばスマートフォンが使用される。この場合、第１の携帯電話Ｍ１は、サーバ３と通信するための所定のアプリケーションソフトウェアがインストールされて使用され、玄関子機１の近距離通信部１４を能動状態とする不在モードにインターホンシステムを設定する不在設定ボタン、玄関ドアＤ１の電気錠４を解錠する解錠ボタンを備えた構成となる。
また、第２の携帯電話Ｍ２は、玄関子機１の近距離通信部１４と通信を可能とする近距離通信機能を備えている。
【００２３】
このように構成されたインターホンシステムは以下のように動作する。ただし、玄関子機１からの呼び出しを受けて居室親機２で応答する動作は従来と同様であるため説明を省略し、居住者が携行する第１の携帯電話Ｍ１で応答する動作を説明する。
インターホン機器が不在モードに設定されて、玄関子機１の近距離通信部１４がオン状態にある場合、訪問者Ｈが携行する第２の携帯電話Ｍ２の短距離通信部（図示せず）を能動状態にしてこの玄関子機１に翳すと、例えばBluetooth（登録商標）により玄関子機１に送信される。こうして読み取られた第２の携帯電話Ｍ２の電話番号情報は、子機ＣＰＵ１５の制御により居室親機２に送信される。
電話番号情報が送信された居室親機２では、親機ＣＰＵ２６の制御によりクラウドＣ上のサーバ３へ電話番号情報が通知（送信）され、サーバ３から応答を待つ。尚、サーバ３へ送信される電話番号情報には、居室親機ＩＤの情報が追加されて送信される。
【００２４】
第２の携帯電話Ｍ２の電話番号情報を受信したサーバ３では、サーバＣＰＵ３２が携帯番号テーブル記憶部３１を参照して、受信した第２の携帯電話Ｍ２に関連付けられている第１の携帯電話Ｍ１を探し、該当する電話番号があれば、その第１の携帯電話Ｍ１の呼び出しを実施する。
こうして呼び出された第１の携帯電話Ｍ１を携行している人物（訪問先の居住者）が応答操作すると、応答信号がサーバ３へ送信され、応答信号を受けたサーバＣＰＵ３２は居室親機２に対して許可信号を送信し、第１の携帯電話Ｍ１と居室親機２との間の通信路を確保する。
【００２５】
一方、サーバ３から許可信号を受信した居室親機２では、親機ＣＰＵ２６の制御により玄関子機１と居室親機２の間の通信路を形成する。結果、玄関子機１と第１の携帯電話Ｍ１との間の通信路が形成される。また許可信号を受信した親機ＣＰＵ２６は、更に玄関子機１のカメラ１１を起動してその撮像映像を、形成した通信路を介して第１の携帯電話Ｍ１へ送信させる。
この結果、玄関子機１と第１の携帯電話Ｍ１との間で音声の送受及び映像の送受が可能となり、訪問者Ｈの映像が第１の携帯電話Ｍ１に表示され、居住者は訪問者Ｈの映像を見ながら通話が可能となる。
【００２６】
このように、訪問者Ｈは自身が携行する携帯電話（第２の携帯電話Ｍ２）を玄関子機１に翳すことで、玄関子機１から訪問者Ｈに関連付けられている居住者の中の特定の人物を直接呼び出しできるため、最初に不特定の応答者が対応する問題が発生しない。また、呼出対象の居住者は、訪問者Ｈに携帯電話（第１の携帯電話Ｍ１）の番号等を教える必要がないため、セキュリティ上の問題も発生しない。
更に、居住者は訪問者Ｈの映像を見ながら訪問者と通話できるため、訪問者を確認でき安心して通話できる。
【００２７】
ただし、第２の携帯電話Ｍ２を玄関子機１に翳す上記呼出操作は、予め訪問者Ｈが訪問先住戸のインターホン機器が不在モード状態にあることを認識していることを前提としており、不在モードに設定されていることを認識していない場合は以下のようである。
訪問者Ｈは、まず従来通り呼出ボタン１３を押下するが、この操作を受けて不在モード状態にある親機ＣＰＵ２６は、予め設定されているメッセージ音声を玄関子機１のスピーカ１２ｂから報音させる。例えば、「携帯電話を翳してください」のメッセージが報音される。
【００２８】
このメッセージを受けて、訪問者Ｈにより自身が携行している携帯電話（第２の携帯電話Ｍ２）が玄関子機１に翳されると、近距離通信部１４が例えばBluetooth（登録商標）により電話番号情報を受信して、子機ＣＰＵ１５の制御により居室親機２へ送信される。その後の動作は上述した流れと同様である。
【００２９】
尚、サーバ３の携帯番号テーブル記憶部３１に、送信された第２の携帯電話Ｍ２の電話番号に関連付けられている第１の携帯電話Ｍ１が無ければ、その時点でサーバ３は制御を終了する。また、関連付けられている第１の携帯電話Ｍ１が登録されていても、第２の携帯電話Ｍ２の電話番号情報と共に送信された居室親機ＩＤの情報が登録されている情報と異なっていれば、異なる住戸の居住者であるため、その時点で制御は終了される。
【００３０】
そして、この不在モードへ移行させる操作は、第１の携帯電話Ｍ１からでも実施できる。具体的に、第１の携帯電話Ｍ１の所定の操作でサーバ３を呼び出し、その後不在設定ボタン（図示せず）を表示させて設定操作する。この操作で、不在モード移行信号がサーバ３に送信され、サーバＣＰＵ３２により不在モード移行信号送信元の第１の携帯電話Ｍ１に関連付けられている居室親機２に不在モード移行信号が送信される。この信号を受信した居室親機２では、親機ＣＰＵ２６がインターホン機器を不在モードに移行させ、玄関子機１の近距離通信部１４をオンさせる。
このように、インターホン機器を不在設定し忘れても、第１の携帯電話Ｍ１の操作でインターホン機器を不在モードに移行させて、近距離通信部１４を使用して居住者の呼び出しができ便利である。
【００３１】
更に、応答した居住者が通話により玄関ドアＤ１の電気錠４を解錠すべきであると判断したら、第１の携帯電話Ｍ１の操作で解錠操作が可能であり、所定の操作で第１の携帯電話Ｍ１に解錠ボタン（図示せず）を表示させて、解錠操作が成されると解錠信号が生成されてサーバ３を経由して居室親機２に送信される。
この解錠信号を受けた居室親機２では、親機ＣＰＵ２６が玄関ドアＤ１の電気錠４の解錠操作を実施し、玄関ドアＤ１が解錠される。
【００３２】
こうして、居住者は自身が携行する第１の携帯電話Ｍ１を操作して玄関ドアＤ１を解錠できるため、外出先から玄関ドアＤ１の解錠を行うことができ、子供が帰宅した場合等便利である。
尚、上記実施形態では居室親機２にサーバ３と通信する機能を設けたが、玄関子機１にその機能を設けても良い。
【００３３】
図５は集合住宅インターホンシステムの一例を示している。図５において、６はエントランスに設置されて訪問者Ｈが住戸を選択して居住者を呼び出すための集合玄関機、７は集合住宅の個々の住戸に設置されて居住者が呼び出しに応答するための住戸親機、８は集合玄関機６と住戸親機７との間の通信を制御する制御機、Ｄ２はエントランスに設置されて居住エリアに進む際に通過する集合玄関ドア、４ａはその電気錠である。尚、上記実施形態と同様の構成要素には同一の符号を付与して説明を省略する。
【００３４】
集合玄関機６は伝送線Ｌ１１を介して制御機８に接続され、住戸親機７は親機幹線Ｌ１２により制御機８に接続されている。また、電気錠４ａは制御線Ｌ１３を介して制御機８に接続されている。更に制御機８は、クラウドＣ上のサーバ３と通信を実施するよう構成されている。
【００３５】
図６は集合玄関機６の機能ブロック図を示している。集合玄関機６は図６に示すように、訪問者Ｈを撮像するカメラ６１、訪問先の住戸を選択する操作部６２、マイク６３ａ及びスピーカ６３ｂを備えた通話部６３、近距離通信部６４、集合玄関機６を制御する集合玄関機ＣＰＵ６５、制御機８と通信する集合玄関機通信ＩＦ６６等を備えている。近距離通信部６４は上記玄関子機１と同様に、例えばBluetooth（登録商標）、ＮＦＣ（登録商標）等が使用される。
【００３６】
図７は住戸親機７の機能ブロック図を示している。住戸親機７は図７に示すように、集合玄関機６のカメラ６１の撮像映像の表示に加えて各種情報を表示する表示部７１、各種設定操作を行う操作部７２、呼び出しを受けて応答操作する通話ボタン７３、マイク７４ａ及びスピーカ７４ｂを備えた通話部７４、集合玄関ドアＤ２の電気錠４ａを解錠する解錠ボタン７５、住戸親機７を制御する親機ＣＰＵ７６、制御機８と通信する親機通信ＩＦ７７等を備えている。
操作部７２には不在設定部があり、不在設定されると住戸親機７が不在モードに移行し、集合玄関機６からの呼び出しを居住者の携帯電話（第１の携帯電話Ｍ１）へ通知する制御が可能となる。
【００３７】
図８は制御機８の機能ブロック図を示している。制御機８は図８に示すように、住戸番号と住戸親機ＩＤを関連付けた住戸親機テーブルに加えて個々の住戸親機７の状態（不在設定の有無）を記憶する記憶部８１、集合玄関機６と住戸親機７の間の通信及びサーバ３との通信を制御する制御機ＣＰＵ８２、集合玄関機６及び住戸親機７と通信する制御機通信ＩＦ８３、クラウドＣを介してサーバ３と通信する外部通信ＩＦ８４、集合玄関ドアＤ２の電気錠４ａを制御する電気錠制御部８５等を備えている。
【００３８】
このように構成されたインターホンシステムの動作は以下のようである。ただし、集合玄関機６の呼出操作を受けて住戸親機７で応答する動作は従来と同様であるため説明を省略し、ここでは住戸親機７が不在設定されて、集合玄関機６からの呼び出しが居住者の携帯電話（第１の携帯電話Ｍ１）へ転送される動作を中心に説明する。
訪問者Ｈが集合玄関機６を操作して訪問先の住戸の呼び出しを行うと、呼出先の住戸親機７は不在設定されて不在モード状態にあることで、親機ＣＰＵ７６が予め記憶しているメッセージを集合玄関機６に送信してスピーカ６３ｂから報音させ、訪問者Ｈに不在設定されていることを通知する。こうして集合玄関機６では、例えば、「携帯電話を翳してください」のメッセージが報音される。
【００３９】
尚、住戸親機７が不在設定されたら、集合玄関機６からの呼び出しは制御機８で対応させても良く、その場合は制御機ＣＰＵ８２の制御でメッセージが集合玄関機６から報音される。
【００４０】
メッセージの報音を受けて、訪問者Ｈが携行する携帯電話（第２の携帯電話Ｍ２）が集合玄関機６に翳されると、第２の携帯電話Ｍ２の近距離通信機能により電話番号情報が送信され、集合玄関機ＣＰＵ６５の制御により、集合玄関機６の近距離通信部６４が読み取り、制御機８に送信される。
住戸親機７が不在設定されていることを認識している制御機８は、集合玄関機６から送信された電話番号情報を受けて、制御機ＣＰＵ８２の制御によりクラウドＣ上のサーバ３へ呼出先の住戸親機７のＩＤ情報を含む電話番号情報が通知（送信）され、サーバ３から応答を待つ。
【００４１】
第２の携帯電話Ｍ２の電話番号情報を受けたサーバ３では、サーバＣＰＵ３２が携帯番号テーブル記憶部３１を参照して、受信した第２の携帯電話Ｍ２に関連付けられている第１の携帯電話Ｍ１を探し、該当する第１の携帯電話Ｍ１があれば呼び出しを実施する。
こうして呼び出された第１の携帯電話Ｍ１を携行している人物（訪問先の居住者）が応答操作すると、応答信号がサーバ３へ送信され、応答信号を受けたサーバＣＰＵ３２は制御機８に対して許可信号を送信し、第１の携帯電話Ｍ１と制御機８との間の通信路を確保する。
【００４２】
一方、サーバ３から許可信号を受けた制御機８は、制御機ＣＰＵ８２の制御により集合玄関機６とサーバ３との間の通信路を形成する。結果、集合玄関機６と第１の携帯電話Ｍ１との間の通信路が形成される。また、許可信号を受信した制御機ＣＰＵ８２は、集合玄関機６のカメラ６１を起動してその撮像映像を、形成した通信路を介して第１の携帯電話Ｍ１へ送信させる。
この結果、集合玄関機６と第１の携帯電話Ｍ１との間で通信路が形成されると共に、訪問者Ｈの映像が第１の携帯電話Ｍ１に表示され、居住者は訪問者Ｈの映像を見ながらの通話が可能となる。
【００４３】
このように、訪問者Ｈは自身が携行する携帯電話（第２の携帯電話Ｍ２）を集合玄関機６に翳すことで、訪問者Ｈに関連付けられている居住者の中の特定の人物を直接呼び出しできるため、最初に不特定の応答者が対応する問題が発生しない。また、呼出対象の居住者は訪問者に携帯電話（第１の携帯電話Ｍ１）の番号等を教える必要がなくセキュリティ上の問題も発生しない。
また、制御機８がサーバ３と通信するため、各住戸親機７等にサーバ通信部を設ける必要がないし、居住者は訪問者Ｈと通話する際に訪問者Ｈの映像を見ながら通話でき、安心して通話できる。
【００４４】
尚、上記インターホンシステムと同様に、サーバ３の携帯番号テーブル記憶部３１に、送信された第２の携帯電話Ｍ２の電話番号に関連付けられている第１の携帯電話Ｍ１が無ければ、その時点でサーバ３は制御を終了する。また、関連付けられている第１の携帯電話Ｍ１が登録されていても、第２の携帯電話Ｍ２の電話番号情報と共に送信された住戸親機ＩＤの情報が登録されている情報と異なっていれば、訪問先とは異なる住戸の居住者であるため、その時点で制御は終了される。
【００４５】
また、住戸親機７を不在モードへ移行させる操作も上記インターホン機器を不在モードへ移行させる操作と同様に第１の携帯電話Ｍ１からでも実施できる。第１の携帯電話Ｍ１の所定の操作で、不在モード移行信号がサーバ３を介して制御機８に送信され、この信号を受信した制御機ＣＰＵ８２が不在モード移行信号送信元の第１の携帯電話Ｍ１に関連付けられている住戸親機７を不在モードに移行させ、記憶部８１にそれを登録する。
このように、住戸親機７を不在設定し忘れても、第１の携帯電話Ｍ１の操作で住戸親機７を不在モードに移行させることができ、集合玄関機６の近距離通信部６４を活用でき便利である。
【００４６】
また応答した居住者が、通話により集合玄関ドアＤ２の電気錠４ａを解錠すべきであると判断したら、第１の携帯電話Ｍ１の操作で解錠操作が可能であり、所定の解錠操作が成されると解錠信号が生成されてサーバ３を経由して制御機８に送信される。
解錠信号を受けた制御機８では、制御機ＣＰＵ８２が集合玄関ドアＤ２の電気錠４ａの解錠操作を実施し、集合玄関ドアＤ２が解錠される。
【００４７】
そして、各住戸玄関に設置された玄関子機１は上記図２の玄関子機１であり、解錠された集合玄関ドアＤ２から居住エリアに入った訪問者Ｈは、引き続き訪問先住戸の玄関子機１に第２の携帯電話Ｍ２を翳すことで、上記実施形態に記載した如く第１の携帯電話Ｍ１を介して居住者と通話でき、必要に応じて住戸玄関の玄関ドアＤ１の電気錠が解錠される。
【００４８】
こうして、居住者は自身が携行する第１の携帯電話Ｍ１を操作して集合玄関ドアＤ２を解錠できるため、外出先から集合玄関ドアＤ２の解錠を行うことができ、子供が帰宅した場合等便利である。
【００４９】
尚、上記実施形態では、第２の携帯電話Ｍ２を玄関子機１或いは集合玄関機６に翳すことで呼び出される第１の携帯電話Ｍ１を１台として説明したが、呼び出される第１の携帯電話は複数であっても良く、訪問者Ｈが会いたい人物が二人等複数人の場合は、複数の第１の携帯電話Ｍ１を呼び出し、最初に応答した第１の携帯電話Ｍ１と通信路を形成すれば良い。
【符号の説明】
【００５０】
１・・玄関子機、２・・居室親機、３・・サーバ、４，４ａ・・電気錠、６・・集合玄関機、７・・住戸親機、８・・制御機、１１・・カメラ、１４・・近距離通信部、２６・・親機ＣＰＵ（映像送信部）３１・・携帯番号テーブル記憶部、３２・・サーバＣＰＵ、６１・・カメラ、６４・・近距離通信部、８２・・制御機ＣＰＵ（映像送信部）、Ｍ１・・第１の携帯電話、Ｍ２・・第２の携帯電話、Ｃ・・クラウド、Ｈ・・訪問者。
【図１】
2019121961.tif 000003
【図２】
2019121961.tif 000004
【図３】
2019121961.tif 000005
【図４】
2019121961.tif 000006
【図５】
2019121961.tif 000007
【図６】
2019121961.tif 000008
【図７】
2019121961.tif 000009
【図８】
2019121961.tif 000010